(57)【要約】【課題】    単なる１本のステンレス金属細棒を手などで折り曲げて、今までに無い新型のメモ置きを作りたい。【解決手段】  ボールペンとメモを簡単におけるように長さ１メートルの１本のステンレスの金属細棒のみをただ折り曲げるだけで新型を作成し、販売時にかさばらないように、金属の柔軟性を利用し平面化した。【選択図】図１
2010069859.tif 000002
【特許請求の範囲】
【請求項１】
直径２ミリほどで長さ１メートルのステンレス金属棒を次のごとく折り曲げる。先ずその先端に直径２８ミリの円を作る。次にその先左側を下に３センチ直線に進めて、右方水平にに直径１３ミリの円を作る。この大小２個の円枠は３センチほどの間隔を上下に開けて並列になっており、上の円枠からボールペンを差し込んで下の円枠にペン先を入れて止めるようにする。さらに下の円枠の先、そこは左側になるが、そこをやや左下に進めて、直径９センチの円を作る。この際、始めの３センチほどは坂であとは水平になるようにする。この結果、先の上下２個の円枠の左側に新たに直径９センチの円枠が出来ることになる。次に、この円の先端は右側にあるが、そこを左水平に進めて先の直径９センチの円の手前内側に沿うように直径７センチほどの半円を作る。次に、その半円の先端、そこは先の直径９センチの円枠の左側中央のやや内側に位置するが、そこを右側に進めて上方、縦にくるりと一回転し短径４センチ長径５センチほどの横長楕円枠を作る。次に、この楕円枠の先端、そこは直径９センチの円および直径７センチの半円の真ん中になるが、そこを右側進めて、先の横長楕円枠外側に沿うように上方に、縦にくるりと一回転するように、高さ１１センチ、横幅９センチほどの縦長楕円枠を作る。この先端はこの折り曲げの終点となるが、先の横長楕円枠の左側下に外側かつ内側から接するようにする。この結果、長径１１センチほどの縦長楕円枠の手前内側下に短径４センチほどの横長楕円枠を縦並行に抱え込むようになる。さらにこの縦並列に立っている２個の楕円枠の縦長楕円枠の方をやや後方にちょっと傾けて、大小２個の楕円枠の間の隙間にメモを数枚挿し置けるようにする。以上のように一本の金属細棒を折り曲げて作成される新型金属棒メモ置き。
【請求項２】
この金属棒メモ置きを梱包に便利なように、全体を次のごとく平面化する。先ず、中央に立っている大小２個の楕円枠を正面手前から後方に倒すように折り曲げて水平にする。次に、右側に上下つながって立っている２個の円枠全体を同様に後ろ側に折り曲げる。さらに折り曲げ倒したこの円枠を一個ずつ水平になるよう調節し折り曲げる。この結果、全体が平面化し袋などに容易に入れることが出来る。さらに、これを使用するときには前折り曲げ過程を逆に行い全体を以前の如く立体化することが出来る。以上のように金属棒の柔軟性を利用して、使用するときに立体化できるようにし、販売時用に梱包包装するため平面化した新型金属棒メモ置き。
【発明の詳細な説明】
【技術分野】
【０００１】本考案は、一本の金属細棒を折り曲げて、ボールペンとメモを置けるようにしたメモ置きを、梱包に便利なように包装時は平面化にしておき、使用時にはかさばる立体化に出来る金属棒新型メモ置きである。
【背景技術】
【０００２】    本考案は金属細棒を使用した新型で、溶接や接着剤、ねじ釘などを使わず単に折り曲げるだけで作成される。作成過程が省エネクリーンである。さらに、全体がかさばると、包装にいろいろ無駄を生じるので、金属細棒の柔軟性を利用し包装時は平面化しておき、使用時に立体化できるようにしてある。
【発明の開示】
【発明が解決しようとする課題】
【０００３】    今までに無い新型を折り曲げるだけで作りたい。包装時は封筒程度の袋に入れることが出来るようにし、使用時には元のように立体化したい。
【課題を解決するための手段】
【０００４】  本考案は一本の金属細棒を折り曲げて新型を作成し、使用時はかさばる立体であるが、販売のための梱包、包装時にはかさばらないように平面化しておく。
【発明の効果】
【０００５】  作成過程で溶接、接着剤、ねじ釘などを使用しないので、省エネクリーンである。材料が単に１メートルの金属細棒のみであるので非常に安価で経済的である。
販売などのための梱包、包装がかさばらなくてコンパクトで場所をとらない。
【発明を実施するための最良の形態】
【０００６】  材料は加工がしやすい程度のやわらかさと形がくずれない硬さを兼ね備える直径２ミリほどのステンレス丸棒が最も良い。
【実施例】
【０００７】直径２ミリほどで長さ１メートルのステンレス金属丸棒を次のごとく折り曲げる。先ずその先端に直径２８ミリの円を作る。次にその先左側を下に３センチ直線に進めて、右方水平にに直径１３ミリの円を作る。このたて並列大小の円の上からボールペンを差し込んでペン先を下の円で止めることが出来る。さらにその下の円の先、そこは左側になるが、そこをやや左下に進めて、直径９センチの円を作る。この際、始めの３センチほどは坂であとは水平になるようにする。この結果、先の上下２個の円の左側に新たに直径９センチの円が出来ることになる。次に、この円の先端は右側にあるが、そこを左水平に進めて先の直径９センチの円の手前内側に沿うように直径７センチほどの半円を作る。次に、その半円の先端、そこは先の直径９センチの円の左側中央のやや内側に位置するが、そこを右側に進めて上方、縦にくるりと一回転し短径４センチ長径５センチほどの横長楕円枠を作る。次に、この楕円枠の先端、そこは直径９センチの円および直径７センチの半円の真ん中になるが、そこを右側進めて、先の横長楕円枠外側に沿うように上方に、縦にくるりと一回転するように、高さ１１センチほどの縦長楕円枠を作る。この先端はこの折り曲げの終点となるが、先の横長楕円枠の左側下に外側かつ内側から接するようにする。この結果、長径１１センチほどの縦長楕円枠の手前内側下に短径４センチほどの横長楕円枠を縦並行に抱え込むようになる。さらにこの縦並列に立っている２個の楕円悪の縦長楕円枠の方をやや後方にちょっと傾けて、大小２個の楕円枠の間の隙間にメモを数枚挿し置けるようにする。
次に、  この金属棒メモ置きを梱包に便利なように、全体を次のごとく平面化する。先ず、中央に立っている大小２個の楕円枠を正面手前から後方に倒すように折り曲げて水平にする。次に、右側に上下つながって立っている２個の円枠全体を同様に後ろ側に折り曲げる。さらに折り曲げ倒したこの円枠を一個ずつ水平になるよう調節し折り曲げる。この結果、全体が平面化し封筒袋などに容易に入れることが出来る。さらに、これを使用するときには前折り曲げ過程を逆に行い全体を以前の如く立体化することが出来る。
【産業上の利用可能性】
【０００８】  材料が単に１メートルの金属細棒のみであるので非常に安価で経済的である。全体がコンパクトで外観が美しい。
作成過程で溶接、接着剤、ねじ釘などを使用しないので、省エネクリーンである。販売などのための梱包、包装がかさばらなくてコンパクトで場所をとらない。
【図面の簡単な説明】
【０００９】
【図１】  本考案による金属棒新型メモ置きの正面図である。
【図２】  本考案による金属棒新型メモ置きの平面図である。
【図３】  本考案による金属棒新型メモ置きの側面図である。
【図４】  本考案による金属棒新型メモ置きを平面化した際の平面図である。
【図５】  本考案による金属棒新型メモ置きを平面化した際の側面図である。
【図６】  同メモ置きにボールペンを差し込み、メモを縦枠の隙間に置いた状態を示す正面図である。
【図１】
2010069859.tif 000003
【図２】
2010069859.tif 000004
【図３】
2010069859.tif 000005
【図４】
2010069859.tif 000006
【図５】
2010069859.tif 000007
【図６】
2010069859.tif 000008